(57)【特許請求の範囲】
【請求項１】
上下左右の外周を覆う矩形の機枠に対して、遊技盤を設置してなるミドル枠が片開き自在に蝶着されているとともに、そのミドル枠に対して、透明板を取り付けた前面扉が片開き自在に蝶着された遊技機であって、
前記前面扉が、透明板およびその透明板の上下左右を覆うフレーム部材と、中央部を開口した矩形の扉本体とからなるものであり、
前記フレーム部材の蝶着側の側縁に、鉛直な第一リブが外向きに突設されているとともに、前記ミドル枠の蝶着側の側縁際に、鉛直な第二リブが内向きに突設されている一方、
前記フレーム部材の開放側の側際に、所定幅の帯状の係合リブが鉛直に、かつ、外側に突出するように設けられているとともに、
前記ミドル枠の開放側の側縁際に、鉛直な凹部が形成されており、
前面扉がミドル枠に対して閉じられた場合に、前面扉の蝶着側においては、ミドル枠の第二リブがフレーム部材の第一リブよりも前方に位置して重なり合った状態となる一方、
前面扉の開放側においては、ミドル枠の凹部内にフレーム部材の係合リブが入り込んで、係合リブの後面がミドル枠の凹部形成面と対峙し、かつ、係合リブの外側面がミドル枠で覆われた状態となることを特徴とする遊技機。
【発明の詳細な説明】
【技術分野】
【０００１】
本発明は、パチンコ機、スマートボール機等の遊技機に関するものであり、詳しくは、ピアノ線等を用いて強制的に入賞装置を開放させる不正行為を効果的に防止することが可能な遊技機に関するものである。
【背景技術】
【０００２】
遊技機の一種であるパチンコ機は、遊技盤面上に設けられた遊技領域に、各種の入賞口が設けられているとともに、多数の障害釘が植設されている。また、遊技盤の前方には、ガラス板を嵌め込んだ前面扉が片開き自在に設けられている。
【０００３】
かかるパチンコ機においては、前面扉を前方に無理矢理に引っ張って、前面扉と遊技盤を固定する枠（所謂、ミドル枠）との隙間を大きくし、当該隙間からピアノ線等の細い針金を挿入させて、開閉式の入賞装置を無理矢理に開放させる不正行為（所謂、ピアノ線ゴト行為）が行われることがある。それゆえ、そのような不正行為を防止すべく、前面扉とミドル枠との間に弾性部材を介在させたパチンコ機が提案されている（特許文献１）。
【先行技術文献】
【特許文献】
【０００４】
【特許文献１】特開２００４−２７５２５７号公報
【発明の概要】
【発明が解決しようとする課題】
【０００５】
しかしながら、前面扉とミドル枠との隙間の全体に亘って漏れなく弾性部材を設置することは現実的には不可能であり、弾性部材のない部分からピアノ線等が挿入されてしまうこともある。それゆえ、上記従来の前面扉とミドル枠との間に弾性部材を介在させたパチンコ機は、ピアノ線ゴト行為の防止効果が十分であるとはいえなかった。
【０００６】
本発明の目的は、上記従来のパチンコ機が有する課題を解消し、前面扉とミドル枠との間からピアノ線等を挿入させる不正行為を効果的に防止することが可能な実用性の高い遊技機を提供することにある。
【課題を解決するための手段】
【０００７】
本発明の内、請求項１に記載された発明は、上下左右の外周を覆う矩形の機枠に対して、遊技盤を設置してなるミドル枠が片開き自在に蝶着されているとともに、そのミドル枠に対して、透明板を取り付けた前面扉が片開き自在に蝶着された遊技機であって、前記前面扉が、透明板およびその透明板の上下左右を覆うフレーム部材と、中央部を開口した矩形の扉本体とからなるものであり、前記フレーム部材の蝶着側の側縁に、鉛直な第一リブが外向きに突設されているとともに、前記ミドル枠の蝶着側の側縁際に、鉛直な第二リブが内向きに突設されている一方、前記フレーム部材の開放側の側際に、所定幅の帯状の係合リブが鉛直に、かつ、外側に突出するように設けられているとともに、前記ミドル枠の開放側の側縁際に、鉛直な凹部が形成されており、前面扉がミドル枠に対して閉じられた場合に、前面扉の蝶着側においては、ミドル枠の第二リブがフレーム部材の第一リブよりも前方に位置して重なり合った状態となる一方、前面扉の開放側においては、ミドル枠の凹部内にフレーム部材の係合リブが入り込んで、係合リブの後面がミドル枠の凹部形成面と対峙し、かつ、係合リブの外側面がミドル枠で覆われた状態となることを特徴とするものである。
【発明の効果】
【０００９】
請求項１に記載された遊技機は、前面扉の蝶着側において前面扉を前方へ引っ張っても、前面扉とミドル枠との間に隙間が形成されないので、当該隙間からピアノ線を挿入させて遊技盤面上の入賞装置を無理矢理に操作する不正行為を効率的に防止することができる。
【００１０】
また、請求項１に記載された遊技機は、前面扉の開放側において前面扉を前方へ引っ張っても、前面扉に取り付けられたガラス板の側縁がミドル枠によって覆われた状態で保持されるので、前面扉とミドル枠との隙間からピアノ線を挿入させる不正行為を非常に効率的に防止することができる。
【図面の簡単な説明】
【００１１】
【図１】パチンコ機の正面を示す説明図である。
【図２】ミドル枠に対して前面扉を開放した状態のパチンコ機を示す斜視図である（なお、遊技盤の記載は省略されている）。
【図３】前面扉を一部分解した状態を示す斜視図である。
【図４】前面扉を取り外した状態のパチンコ機を示す斜視図である（なお、遊技盤の記載は省略されている）。
【図５】前面扉を取り外した状態のパチンコ機の正面を示す説明図である（なお、遊技盤の記載は省略されている）。
【図６】パチンコ機の左端縁際の水平断面（図１におけるＡ−Ａ線断面）を示す説明図である。
【図７】パチンコ機の右端縁際の水平断面（図１におけるＢ−Ｂ線断面）を示す説明図である。
【発明を実施するための形態】
【００１２】
以下、本発明の遊技機の一実施形態であるパチンコ機について、図面に基づいて詳細に説明する。
【００１３】
＜実施例のパチンコ機の構成＞
図１、図２は、本発明に係るパチンコ機１を示したものである。パチンコ機１は、周囲が金属および木製で所定幅の扁平な筒状の機枠２によって、上下面および左右両側面が覆われており、その機枠２に対して、遊技盤３等を設置するための金属製のミドル枠４が、左端縁を軸として片開き自在に取り付けられている。
【００１４】
また、機枠２の左端縁には、前面扉５が片開き可能に設置されており、前面扉５を閉じると、前面扉５に嵌め込まれた２枚のガラス板６ａ，６ｂが、遊技盤３の前面に平行に配置されるようになっている。さらに、遊技盤３の盤面上には、レール部材７が円周状に設置されており、その内部が略円形の遊技領域Ｒとして区画された状態になっている。そして、遊技領域Ｒ内には、各種の入賞装置等が設置されているとともに、多数の障害釘が植設されている。
【００１５】
図３は、前面扉５を一部分解して示したものである。前面扉５は、扉本体８と、透明板ユニット９とによって構成されており、当該透明板ユニット９を扉本体８に対して着脱自在に装着することができるようになっている。
【００１６】
扉本体８は、左右の支柱１０ａ，１０ｂの上端および下端に、それぞれ、上桟１１、下桟１２を懸架した矩形状を有しており、中央が開口した状態になっている。そして、上桟１１の前面側には、スピーカユニット等が設置されており、下桟１２の前面側には、発射装置へ供給する遊技球を貯留させるための供給皿１３等が突設されている。加えて、左側（前方から見たときの左側）の支柱１０ａの上端面には、係合突起２７が上向きに突設されており、支柱１０ａの下端面には、図示しない係合孔が穿設されている。
【００１７】
また、左右の支柱１０ａ，１０ｂと上桟１１との交差位置の後面側には、透明板ユニット９の左右の上端際を係着するための略Ｌ字状の係着部材１４ａ，１４ｂが回転可能に固定されている。それらの係着部材１４ａ，１４ｂは、支軸部１５に対して係止部１６を直交するように折り曲げてなる金具の外周（支軸部１５、および係止部１６の内面側）を軟質の樹脂にてコーティングしたものであり、支軸部１５が扉本体８の後面に対して直交するように枢着されている。
【００１８】
一方、左右の支柱１０ａ，１０ｂと下桟１２との交差位置の後面側には、透明板ユニット９の左右の下端際を係着するための断面Ｕ字状の係止凹状体１７ａ，１７ｂが固着されている。さらに、右側（前方から見たときの右側）の支柱１０ｂの後面には、先端を矢尻状に形成した３つの鉤状部材１８，１８・・が、後方に突出するように設けられている。
【００１９】
また、透明板ユニット９は、左右を傾斜状にカットした矩形の２枚のガラス板６ａ，６ｂと、それらのガラス板６ａ，６ｂの上下左右を覆う合成樹脂製のフレーム部材１９とによって構成されている。フレーム部材１９の左右の上端際には、係着部材１４と係着させるための平坦な被係着部２０ａ，２０ｂが設けられており、それらの被係着部２０ａ，２０ｂの下側の外周には、壁体２１ａ，２１ｂが略弧状に立設された状態になっている。また、フレーム部材１９の左右の下端際には、矩形の係止突片２２ａ，２２ｂが下方に突出するように設けられている。さらに、フレーム部材１９の左右の外側には、所定幅の帯状の係合リブ２３ａ，２３ｂが、鉛直外向きに突設されている（なお、左側の係合リブ２３ａは、第一リブとして機能するものである）。
【００２０】
前面扉５は、扉本体８の後面に、透明板ユニット９を当接させ、フレーム部材１９の左右の下端際の係止突片２２ａ，２２ｂを、それぞれ、扉本体８の係止凹状体１７ａ，１７ｂに嵌入させるとともに、扉本体８の係着部材１４ａ，１４ｂを回動させて、それぞれの係止部１６，１６を被係着部２０ａ，２０ｂ上に配置させることにより、係止部１６と扉本体８とによってフレーム部材１９の左右の上端際の板状部分を挟み込むことによって、透明板ユニット９を扉本体８に着脱自在に装着している。そして、扉本体８の開口部分をガラス板６ａ，６ｂによって覆った状態になっている。
【００２１】
一方、図４、図５は、前面扉８を取り外したパチンコ機を示したものであり、ミドル枠４は、合成樹脂によって上側の中央部分を大きく開口したロ字状に形成されている。そして、その開口部分に矩形の遊技盤３を嵌め込み設置することができるようになっている。また、ミドル枠４の後面側には、遊技盤３に設置された各種の制御装置等を保護するためのカバー部材２４等が取り付けられている。さらに、ミドル枠４の下側の前面には、供給皿１３から溢れた遊技球を貯留するための貯留皿３５や遊技球発射装置３６を作動させるための操作ハンドル３７等が設けられている。
【００２２】
また、ミドル枠４の前面左側の上下の端縁際には、それぞれ、上側係合突片２５、下側係合突片２６が、前方へ突出するように水平に設けられている。上側係合突片２５、下側係合突片２６は、平板状に形成されており、上側係合突片２５には、係合孔が穿設されており、下側係合突片２６には、係合突起３４が上向きに突設されている。さらに、ミドル枠４の左側の支柱２８ａの内面には、所定幅の帯状の被係合リブ２９が、ミドル枠４の前端縁と平行になるように鉛直内向きに突設されている（なお、被係合リブ２９は、第二リブとして機能するものである）。
【００２３】
一方、ミドル枠４の右側の支柱２８ｂには、前面扉５の右端縁に設置された鉤状部材１８，１８・・を係合させるための縦長な係合孔３０，３０・・を穿設した被係合棹３１が、上下にスライド可能に設けられている。なお、被係合棹３１は、図示しないバネ部材によって、常時、上向きに付勢されている。また、ミドル枠４の下側に突設された解錠装置３２に所定の鍵を挿入することにより、被係合棹３１をバネ部材の付勢力に抗して下側にスライドさせることができるようになっている。加えて、ミドル枠４の右側の支柱２８ｂの内面際には、前面扉５のフレーム部材１９の右端縁に突設された係合リブ２３ｂと係合させるための凹状溝３３が鉛直な直線状に形成されている。
【００２４】
そして、ミドル枠４は、前面扉５の扉本体８の左上端に設けられた係合突起２７を、左上端際に突設された上側係合突片２５の係合孔に係合させ、前面扉５の扉本体８の左下端に設けられた係合孔に、左下端際に突設された下側係合突片２６の係合突起３４を係合させることによって、前面扉５を左端縁を中心として片開き自在に取り付けた状態になっている。
【００２５】
＜実施例のパチンコ機の作動内容＞
上記の如く構成されたパチンコ機１においては、遊技者等によって操作ハンドル３７が回動操作されると、遊技球発射装置３６によって遊技球が発射され、発射された遊技球が、遊技盤３の盤面に設けられた遊技領域Ｒの上部へ誘導される。そして、誘導された遊技球が各種の入賞装置に入賞した場合（たとえば、開成した大入賞口２２の内部へ入り込んだ場合）には、賞品球として、所定数の遊技球が、遊技球払出装置（図示せず）によって払い出される。
【００２６】
また、パチンコ機１においては、前面扉５をミドル枠４に対して閉じた状態で保持したり、前面扉５をミドル枠４に対して片開きしたりすることができる。すなわち、前面扉５をミドル枠４に対して閉じた状態で保持する場合には、前面扉５の右側をミドル枠４に対して押し付ける。そのように押し付けると、被係合棹３１がバネ部材の付勢力に抗して下側に下がることによって、被係合棹３１の係合孔３０，３０・・に矢尻状の鉤状部材１８，１８・・が入り込み、その後に、被係合棹３１がバネ部材の付勢力によって上昇するため、前面扉５がミドル枠４に対して閉じた状態で保持される。
【００２７】
図６は、上記の如く前面扉５をミドル枠４に対して閉じた場合における前面扉５の左側の水平断面（図１におけるＡ−Ａ線断面）を示したものである。前面扉５をミドル枠４に対して閉じた場合には、前面扉５の左側においては、フレーム部材１９の左端縁に突設された係合リブ２３ａがミドル枠４の左端縁に突設された被係合リブ２９の内側に入り込み、前方から見た場合に、係合リブ２３ａと被係合リブ２９とが重なり合った状態となる。したがって、前面扉５をミドル枠４に対して閉じた場合には、前面扉５の蝶着側においては、前面扉５を前方へ無理矢理に引っ張った場合でも、ガラス板６ａ，６ｂを嵌め込んだフレーム部材１９とミドル枠４との間に隙間が形成される事態が生じない。それゆえ、ピアノ線等を遊技領域Ｒへ到達させることができない。
【００２８】
また、図７は、上記の如く前面扉５をミドル枠４に対して閉じた場合における前面扉５の右側の水平断面（図１におけるＢ−Ｂ線断面）を示したものである。前面扉５をミドル枠４に対して閉じた場合には、前面扉５の開放側においては、前面扉５に取り付けられたフレーム部材１９の係合リブ２３ｂが、ミドル枠４の右側の支柱２８ｂに形成された凹状溝３３内に入り込んだ状態で係止されるため、側方から見た場合に、フレーム部材１９に嵌め込まれたガラス板６ｂの右側縁がミドル枠４で覆われた状態となる。したがって、ミドル枠４とガラス枠６ｂとの間からピアノ線等を侵入させて遊技領域Ｒへ到達させることがきわめて困難となる。
【００２９】
一方、前面扉５をミドル枠４に対して片開きする場合には、ミドル枠４の下側に突設された解錠装置３２に所定の鍵を挿入して所定の方向に回転させて、被係合棹３１をバネ部材の付勢力に抗して下側に下げることによって、前面扉５の扉本体８に設けられた鉤状部材１８，１８・・と被係合棹３１の係合孔３０，３０・・との係合状態を解除する。そのように、鉤状部材１８，１８・・と係合孔３０，３０・・との係合状態を解除することによって、前面扉５をミドル枠４に対して片開きすることが可能となる。
【００３０】
＜パチンコ機の効果＞
パチンコ機１は、上記の如く、前面扉５の蝶着側の側縁に、鉛直な係合リブ２３ａ（第一リブ）が外向きに突設されているとともに、ミドル枠４の蝶着側の側縁際に、係合リブ２３ａと係合可能で鉛直な被係合リブ２９（第二リブ）が内向きに突設されており、前面扉５がミドル枠４に対して閉じられた場合に、ミドル枠４の被係合リブ２９が前面扉５の係合リブ２３ａよりも前方に位置して重なり合った状態となるようになっている。それゆえ、前面扉５の蝶着側において前面扉５が無理矢理に前方へ引っ張られても、前面扉５とミドル枠４との間に隙間が形成されないので、当該隙間からピアノ線を挿入させて遊技盤３の盤面上の入賞装置を無理矢理に操作する不正行為を効率的に防止することができる。
【００３１】
また、パチンコ機１は、ミドル枠４の開放側の側縁際に、鉛直な凹状溝３３（凹部）が形成されており、前面扉５がミドル枠４に対して閉じられた場合に、前面扉５に取り付けられたガラス板６ｂ（透明板）の側縁が（側方から見た場合に）ミドル枠４で覆われた状態で、施錠機構（向上部材１８，１８・・および被係合棹３１）によって閉じた状態が保持される。それゆえ、前面扉５の開放側において前面扉５が無理矢理に前方へ引っ張られても、前面扉５に取り付けられたガラス板６の側縁がミドル枠４によって覆われた状態で保持されるので、前面扉５とミドル枠４との隙間からピアノ線を挿入させる不正行為を効率的に防止することができる。
【００３２】
＜パチンコ機の変更例＞
なお、本発明の遊技機の構成は、上記した各実施例の態様に何ら限定されるものではなく、機枠、ミドル枠（被係合リブ、凹状溝）、前面扉（扉本体、透明板ユニット、フレーム部材、ガラス板）等の材質、形状・構造等の構成を、本発明の趣旨を逸脱しない範囲で、必要に応じて適宜変更することができる。
【００３３】
たとえば、パチンコ機は、上記実施形態の如く、前面扉をミドル枠に対して閉じた場合に、前面扉の蝶着側において、係合リブの前面全体が被係合リブによって覆われるものに限定されず、係合リブの前面の一部のみが被係合リブによって覆われるものに変更することも可能である。
【００３４】
また、パチンコ機は、上記実施形態の如く、前面扉をミドル枠に対して閉じた場合に、前面扉の開放側において、（複数のガラス板の内の）後方のガラス板の側縁のみがミドル枠で覆われた状態となるものに限定されず、前面扉をミドル枠に対して閉じた場合に、前面扉の開放側において、複数のガラス板の側縁ともミドル枠で覆われた状態となるものに変更することも可能である。かかる構成を採用した場合には、前面扉とミドル枠との間からピアノ線等を侵入させる不正行為をより効果的に防止することが可能となる。
【００３５】
加えて、本発明の遊技機は、パチンコ機ばかりでなく、スロットマシーン等の他の遊技機として応用することも可能である。
【産業上の利用可能性】
【００３６】
本発明の遊技機は、上記の如く優れた効果を奏するものであるので、パチンコ機、スマートボール等の各種の遊技機として好適に用いることができる。
【符号の説明】
【００３７】
１・・パチンコ機
３・・遊技盤
４・・ミドル枠
５・・前面扉
６・・ガラス板
２３ａ・・係合リブ（第一リブ）
２９・・被係合リブ（第二リブ）
３３・・凹状溝（凹部）
【図１】
0005608893.tif 000002
【図２】
0005608893.tif 000003
【図３】
0005608893.tif 000004
【図４】
0005608893.tif 000005
【図５】
0005608893.tif 000006
【図６】
0005608893.tif 000007
【図７】
0005608893.tif 000008